(57)【特許請求の範囲】
【請求項１】
前面開放の偏平縦型コンテナであり、コンテナ内に間隔を存して斜めに設置する仕切板で多層にセルを形成し、各仕切板に形成した水抜き孔から奥に透水性の良い軽量資材を充填して貯水部としたセル内に人工軽量土壌を含む人工土壌を充填して植生基盤を形成したことを特徴とする壁面等の緑化用コンテナ。
【請求項２】
コンテナの側面板に、前記仕切板に設けた水抜き孔よりも高い位置で水抜き孔を設ける請求項１記載の壁面等の緑化用コンテナ。
【請求項３】
仕切板は下段の仕切板の先端が上段の仕切板の先端よりも突出し、セル開口面が段状に並ぶ請求項１または請求項２記載の壁面等の緑化用コンテナ。
【請求項４】
上面も開放面とし、最上段の仕切板と背面板と両側面板とで形成する断面三角形状の空間に人工土壌を充填して植生基盤を形成する請求項１ないし請求項３のいずれかに記載の壁面等の緑化用コンテナ。
【発明の詳細な説明】
【０００１】
【発明の属する技術分野】
本発明は、高速道路の遮音壁や擁壁、ダム、橋梁、ビルなどの側面、壁面を植物を用いて緑化する壁面等の緑化用コンテナに関するものである。
【０００２】
【従来の技術】
現状の壁面等の緑化には一般に「つた」類が利用されることが多いが、壁面の下部または上部に植生土壌が必要であり、長大壁面を緑化するには「つた」類が成長するまで時間がかかる。
【０００３】
そこで、擁壁等に植木鉢のようなポットを形成したり、または、ポットやコンテナを壁面に取り付け、このポットやコンテナに植生する方法もある。
【０００４】
【発明が解決しようとする課題】
しかし、従来のポットやコンテナを使用して緑化を行うものは、乾燥に弱く、灌水や施肥などの維持管理が一般に必要である。なお、不織布を使用した土壌袋、土壌水分センサと液肥混入器、灌水パイプ、排水パイプによる自動灌水方式の灌水装置、植栽樹木を使用する「垂直の森」と称せられる工法等があるが、これは、植生土壌と植物と灌水装置を一体化してユニット化したもので、大がかりで、初期のコストがかかり過ぎる。
【０００５】
本発明の目的は前記従来例の不都合を解消し、壁面等の上部、下部には土壌の必要がなく、壁面等の全面を早期にかつ簡単に緑化できるとともに、コンテナ自体の取付けも簡単であり、雨水の有効利用と蒸発量の抑制が可能なので維持管理作業がほとんど不用で手間のかからない壁面等の緑化用コンテナを提供することにある。
【０００６】
【課題を解決するための手段】
本発明は前記目的を達成するため、第１に、前面開放の偏平縦型コンテナであり、コンテナ内に間隔を存して斜めに設置する仕切板で多層にセルを形成し、各仕切板に形成した水抜き孔から奥に透水性の良い軽量資材を充填して貯水部としたセル内に人工軽量土壌を含む人工土壌を充填して植生基盤を形成したこと、第２に、コンテナの側面板に、前記仕切板に設けた水抜き孔よりも高い位置で水抜き孔を設けること、第３に、仕切板は下段の仕切板の先端が上段の仕切板の先端よりも突出し、セル開口面が段状に並ぶこと、第４に、上面も開放面とし、最上段の仕切板と背面板と両側面板とで形成する断面三角形状の空間に人工土壌を充填して植生基盤を形成することを要旨とするものである。
【０００７】
請求項１記載の本発明によれば、セルに植物を植栽することでコンテナの前面の全面が同時に緑化されるので、コンテナ取付け部分の壁面等が全面的に早期に緑化できる。また、コンテナ内を仕切板で薄層のセルに分割することで、蒸発が防げ、このように自然蒸発が少なく、水分の利用効率が非常に高いため、人為的な灌水作業がほとんど必要なく、さらに、人工軽量土壌の採用で、コンテナの軽量化と、植物の生育環境をよくし、メンテナンスフリー化を図ることができる。
【０００８】
セルに植栽する植物の種類は広範囲に利用でき、いろいろな植物を楽しむことができる。また、その土地や気候に合った種類を選定することができる。
【０００９】
コンテナ自体は取り付ける壁面等からの突出が小さいので、高架橋の側面など、設置場所に制限があるところでも利用できる。
【００１０】
また、各仕切板に水抜き孔を形成することで水の移動はこの水抜き孔を介しての自然流下のみであり、特別な装置は用いていなので、故障の心配がなく、極度の乾燥時などで灌水が必要な場合でもコンテナの最上段に十分給水してやれば、各コンテナに必要量の水分が配分されるので、作業量は少なくてすむ。
【００１１】
さらに、雨水等でコンテナ上部に供給された水分がコンテナ内に貯水部で貯水層を作り、余分な水は下のセルおよび下のコンテナで受けることで、雨水の有効利用を図れる。
【００１２】
請求項２記載の本発明によれば、前記作用に加えて、コンテナの側面板に設けた水抜き孔は通常時は水抜きとしては働かず、セル内の空気供給に寄与する。大雨時などで仕切板に水抜き孔のみの処理では間に合わない場合は側面板に設けた水抜き孔が働き、土壌中に水頭が上がり過ぎてセルの前面開放部に達することを防止できる。
【００１３】
請求項３記載の本発明によれば、セル開口面が段状に並ぶことで各セルに降雨による直接給水が可能となる。
【００１４】
請求項４記載の本発明によれば、コンテナの上部にも植物を植栽する事が可能となる。
【００１５】
【発明の実施の形態】
以下、図面について本発明の実施の形態を詳細に説明する。図１は壁面等の緑化用コンテナ１実施形態を示す正面図、図２は同上図１のａ−ａ線断面図、図３は図１のｂ−ｂ線矢視図で、図中１は前面開放の偏平縦型コンテナで、取付け用の背面板２とその両脇から立ち上がる側面板３と上下に段をなして背面板２から上向きのに斜めに突設するように設置する仕切板４1，４2，４3〜４nとで構成し、この間隔を存して並列する仕切板４1，４2，４3〜４nでコンテナ１内に多層にセル５1，５2，５3〜５nを形成した。このコンテナ１は背面板２の上下幅が1,000mm〜2,000mm程度、セル５1，５2，５3〜５nは厚さ10mm〜20mm程度、深さ100mm〜200mm程度のものである。
【００１６】
前記背面板２は上下に突出し、ここに吊り具としてのコ字形の把手６を設け、また、この部分はコンテナ１を設置する際のボルト７の締結部となる。
【００１７】
また、本実施形態においては、コンテナ１は上面も開放面とし、最上段の仕切板仕切板４ｎと背面板２と両側面板３とで断面三角形状の空間８を形成した。
【００１８】
仕切板４1，４2，４3〜４nはセル５1，５2，５3〜５nの最深部から見て全長の１／４〜１／３の位置に水抜き孔９を設けた。この水抜き孔９は上下に各仕切板４1，４2，４3〜４nにおいては図示は省略するが水平方向で位置を例えば千鳥状にずらし、上段の仕切板とその直下の仕切板との水抜き孔９が上下位置で重ならないようにした。
【００１９】
このようにすれば、上のセルから水抜き孔９を介して落ちた水が、下のセルに溜まるまでさらに下のセルに落ちないようになる。仕切板４1，４2，４3〜４nに設ける水抜き孔９の水平間隔は水分の浸透速度と通気性の確保の観点から15cm〜30cmとする。
【００２０】
側面板３に、前記仕切板４1，４2，４3〜４nに設けた水抜き孔９よりも高い位置で水抜き孔13を各セル５1，５2，５3〜５nに対応させて設ける。
【００２１】
各セル５1，５2，５3〜５nにおいて、水抜き孔９から奥は貯水部10とし、この貯水部10にパーライト等の透水性の良い軽量資材11を充填した。
【００２２】
そして各セル５1，５2，５3〜５nの前記貯水部10以外の部分である水抜き孔９から上部に人工軽量土壌12を充填して植生基盤を形成する。この人工軽量土壌12には一例として、各種土壌改良剤等の優れた機能をブレンドすることにより、例えば、植物に優しい人工地盤緑化培養土である商品名・ケーソイル（鹿島建設株式会社）が最適である。
【００２３】
前記コンテナ１は上部の断面三角形状の空間８も同様であり、底部から中間部までを貯水部10とし、この貯水部10にパーライト等人工軽石による透水性の良い軽量資材11を充填し、それから上部には人工軽量土壌12を充填して植生基盤とした。
【００２４】
次に使用法について説明する。先に述べたようにコンテナ１は、擁壁、ダム、橋梁、ビルなどの側面、壁面等に設置するものであり、ボルト７で締結して多数を左右および上下に並べる。壁面等からの突出が少ないので、高架橋の側面など設置場所に制限のあるところでも利用できる。
【００２５】
各セル５1，５2，５3〜５nおよび上部の断面三角形状の空間８に植物を植栽して緑化を行うが、植物の種類は特に限定されず広範囲から選定でき、その土地や気候にあった種類を色々と楽しむことができる。
【００２６】
雨水は各セル５1，５2，５3〜５nの前面開口面から内部に入り人工軽量土壌12に浸透するが、貯水部10に溜まり、それ以上のものは水抜き孔９を介して下段のセルに移行する。さらに、コンテナ１の最下段の仕切板４1の水抜き孔９から落ちた水は下に設置するコンテナ１で受けて水分の有効利用が図れる。
【００２７】
なお、他の実施形態としては、多雨地域などで水分供給の多いところで設置する場合は、前記貯水部10を作らずにセル５1，５2，５3〜５n内を全て人工軽量土壌12で満たすようにする。この場合は水抜き孔９は最深部近くに設ける。
【００２８】
側面板３に設けた水抜き孔13は通常は水抜き作用は行わず、空気供給に寄与しているが、大雨時にはこの水抜き孔13から外へ水を排出し、土壌中の水頭が上がり過ぎてセル５1，５2，５3〜５nの前面開口面に達することを防止する。
【００２９】
図４は本発明の第２実施形態を示すもので、仕切板４1，４2，４3〜４nは下段の仕切板の先端が上段の仕切板の先端よりも突出し、各セル５1，５2，５3〜５nの開口面が段状に並ぶようにした。
【００３０】
このようにすれば、各セル５1，５2，５3〜５nの開口面が段状に並ぶことで各セルに降雨による直接給水が可能となり、雨水の供給を確実なものとすることができる。
【００３１】
【発明の効果】
以上述べたように本発明の壁面等の緑化用コンテナは、壁面等の上部、下部には土壌の必要がなく、壁面等の全面を早期にかつ簡単に緑化できるとともに、コンテナ自体の取付けも簡単であり、雨水の有効利用と蒸発量の抑制が可能なので維持管理作業がほとんど不用で手間のかからないものである。
【図面の簡単な説明】
【図１】  本発明の壁面等の緑化用コンテナの１実施形態を示す正面図である。
【図２】  図１のａ−ａ線断面図である。
【図３】  図１のｂ−ｂ線矢視図である。
【図４】  本発明の壁面等の緑化用コンテナの２実施形態を示す縦断側面図である。
【符号の説明】
１…コンテナ                  ２…背面板
３…側面板                    ４1，４2，４3〜４n…仕切板
５1，５2，５3〜５n…セル      ６…把手
７…ボルト                    ８…断面三角形状の空間
９…水抜き孔                  10…貯水部
11…透水性の良い軽量資材      12…人工軽量土壌
13…水抜き孔
【図１】
0004226708.tif 000002
【図２】
0004226708.tif 000003
【図３】
0004226708.tif 000004
【図４】
0004226708.tif 000005